(57)【特許請求の範囲】
【請求項１】
プレイヤーが搭乗して自由に運転しうるとともにボールを発射しうる模擬砲を搭載した砲撃遊戯車において、
車体下部にボールを複数蓄えるホールディングタンクを有し、
同ホールディングタンクの後部に左右水平方向に指向して長尺のストレートローラを床面と適当な間隔を存して配置し、
同ストレートローラより所定長さ径の大きい半円筒形状のスクレーパを前記ストレートローラの背後に略同軸に配置して同スクレーパの下端縁は床面に近接させ、
前記ストレートローラの下方に位置したボールを回動するストレートローラが床面との間で挟み込み次いで前記スクレーパとの間で転動させながら同スクレーパに沿って円弧状に移動させて前記ホールディングタンクに搬送するボール回集装置と、
前記ホールディングタンクの前方排出口に向け下り勾配に傾斜させた底板と、
前記底板を振動させる振動手段と、
前記排出口の前方にボールを一端のリフト入口まで一列に配列し同リフト入口に向かって下り勾配を有する排出シュートを設け、前記排出シュートに並んだ複数のボールの側部に上方から接するように左右僅かに斜め水平方向に指向した水平回動ベルトを配置し、同水平回動ベルトの回動により排出シュートに配列されたボールを転動させリフト入口まで移動させるボール搬送調整装置と、
前記リフト入口より上方へ指向した垂直回動ベルトが配置されるとともに同回動ベルトに沿って案内板を備え、垂直回動ベルトがボールを前記案内板との間で挟んで転動させながら上方へ搬送するボールリフト装置と、
前記ボールリフト装置により上方へ搬送されたボールをボール発射装置に案内するボール案内手段とを備えたことを特徴とする砲撃遊戯車。
【請求項２】
前記ボール案内手段は、ボールを縦整列させ、その途中にストッパーを出没させるボール供給規制手段を備えたことを特徴とする請求項１記載の砲撃遊戯車。
【発明の詳細な説明】
【０００１】
【産業上の利用分野】
本発明は、プレイヤーが搭乗して運転しながらボールを砲弾に見立てて発射して楽しむ砲撃遊戯車に関する。
【０００２】
【従来技術】
この種の砲撃遊戯車としては、先の出願に係る例（特開平５−３０６８９８号公報）があるが、同例は該砲撃遊戯車が走り回る遊戯場としての設備に関するもので、砲撃遊戯車自体については詳しい説明はない。
同例の図３には砲撃遊戯車の概略が示され自動集弾機が図示されているが、詳しい説明はなく分からないが、揺動自在の案内板が模擬砲弾を掬う姿勢で突出しその上方に配置された回動ベルトが案内板との間で模擬砲弾を挟み転動させながら直線的に搬送し模擬砲弾を車体内に回集している。
【０００３】
【解決しようとする課題】
しかし回動ベルトと案内板とは略平行であり転動しながら搬送される模擬砲弾は順次搬送されるが、直線的に転動して搬送されるので先行の模擬砲弾に後続の模擬砲弾が接近しすぎ接触することがあり、両者は同じ方向に転動していて互いに転動を妨げ後続の模擬砲弾が先行の模擬砲弾に乗り上げるように働き、搬送路を閉塞するトラブルが生じ易い。
また車体内に納められた模擬砲弾の処理については全く記載がない。
【０００４】
本発明はかかる点に鑑みなされたもので、その目的とする処は安定してボールの回集が可能なボール回集装置を備えた砲撃遊戯車を供する点にある。
また回集されたボールを安定して上方へ移動させることができる装置を備えた砲撃遊戯車を供する点にある。
さらにボールを円滑に連続して発射できるボール供給規制手段を備えた砲撃遊戯車を供する点にある。
【０００５】
【課題を解決するための手段および作用】
上記目的を達成するために、本発明は、プレイヤーが搭乗して自由に運転しうるとともにボールを発射しうる模擬砲を搭載した砲撃遊戯車において、車体下部にボールを複数蓄えるホールディングタンクを有し、同ホールディングタンクの後部に左右水平方向に指向して長尺のストレートローラを床面と適当な間隔を存して配置し、同ストレートローラより所定長さ径の大きい半円筒形状のスクレーパを前記ストレートローラの背後に略同軸に配置して同スクレーパの下端縁は床面に近接させ、前記ストレートローラの下方に位置したボールを回動するストレートローラが床面との間で挟み込み次いで前記スクレーパとの間で転動させながら同スクレーパに沿って円弧状に移動させて前記ホールディングタンクに搬送するボール回集装置と、前記ホールディングタンクの前方排出口に向け下り勾配に傾斜させた底板と、前記底板を振動させる振動手段と、前記排出口の前方にボールを一端のリフト入口まで一列に配列し同リフト入口に向かって下り勾配を有する排出シュートを設け、前記排出シュートに並んだ複数のボールの側部に上方から接するように左右僅かに斜め水平方向に指向した水平回動ベルトを配置し、同水平回動ベルトの回動により排出シュートに配列されたボールを転動させリフト入口まで移動させるボール搬送調整装置と、前記リフト入口より上方へ指向した垂直回動ベルトが配置されるとともに同回動ベルトに沿って案内板を備え、垂直回動ベルトがボールを前記案内板との間で挟んで転動させながら上方へ搬送するボールリフト装置と、前記ボールリフト装置により上方へ搬送されたボールをボール発射装置に案内するボール案内手段とを備えた砲撃遊戯車とした。
【０００６】
回転するストレートローラに捕らえられたボールは半円筒形状のスクレーパに案内されて円弧状に移動し搬送されるので、先行のボールと後続のボールとが接近しても接触することはなく円滑にボールの回集ができる。
またストレートローラの長手方向に亘って複数のボールを同時に回集することが可能で回集効率がよい。
【０００８】
ホールディングタンクの底板を傾斜させかつ振動させることで、ホールディングタンク内で回集されたボールをその自転によりボールどうし互いの移動を妨げることなく、また重なり合うことなく一層でむらのない状態に蓄えることができ、こうして底板下流側に至ったボールは排出口から排出シュートに配列され、その側部に上方から接する斜め掛けの水平方向に指向した水平回動ベルトの回動により排出シュートに配列されたボールを転動させて詰まりを生じることなくリフト入口方向へ移動させることができ、リフト入口で垂直回動ベルトによりボールの移動方向を上方に変更されることでボールを一個ずつ間欠的に上昇され、円滑にボールをリフトすることができる。
【０００９】
さらに前記ボールリフト装置により上方へ搬送されたボールを縦整列させてボール発射装置に案内するボール案内手段の途中にストッパーを出没させるボール供給規制手段を備えることで、ボール発射装置へのボールの供給を簡単に制御できるとともに安定したボール発射を可能とし、また必要以上の連続発射を回避させボールの需給を調整することも可能である。
【００１０】
【実施例】
以下図１ないし図１３に図示した本発明の一実施例について説明する。
周囲を防護ネットで囲まれた遊戯場内を複数の砲撃遊戯車１が走り回るものであり、天井は陽極側集電ネット２が張設され、床面３は伝導性の良い鉄板が敷設されていて、同床面には多数の弾性を有するボール４が散在している。
【００１１】
砲撃遊戯車１は図１および図２に外観を示すように、床面に沿った基台１０が内側に大部分隠れた前後の車輪１１，１２により走行自在に支持され、同基台１０の上に前半を前部ボデイカバー１３、後半を操縦室１４で構成されており、操縦室１４はルーフ１５を支持するピラー１６に防護ネット１７が前後に張設されるとともに左右のスライドドア１８にも防護ネット１９が張りめぐらされている。
なお図１の側面図ではスライドドア１８を開けた状態を示している。
【００１２】
前部ボデイカバー１３の正面中央からは砲身２０が斜め上方に突出されており、操縦室１４のルーフ１５からは上方に向け、集電装置２１が立設され同集電装置２１の先端部分の２本の接触ワイヤー２２が天井の集電ネット２に接触して電力の供給を受けるようになっている。
基台１０の周囲には全周に亘ってクッションゴム２３が周設されている。
操縦室１４の室内はシート２４とその前方にハンドル２５と砲砲身傾斜操作レバー２６が配設され、砲身傾斜操作レバー２６の上端にはボール発射ボタン２７が設けられている。
なおシート２４にはシートベルト２８が備えられている。
【００１３】
図３に砲撃遊戯車１の車体内をボールが辿るルートを概略図で示しており、同図に従って予め簡単に説明をしておくこととする。
砲撃遊戯車１の走行により基台１０の下に入り込んだボール４は車体中央辺りでボール回集装置３０によって回集されて操縦室１４の下方のホールディングタンク３１内に最大で１００個程蓄えられ、次いでボール搬送調整装置３２を経て操縦室１４の前方のボールリフト装置３３により上方へ搬送され、次いでボール縦整列供給装置３４により前方のボール発射装置３５に送られ、同ボール発射装置３５によりボールが砲身２０を通って発射される。
【００１４】
まずボール回集装置３０は、図４および図５に図示するように左右前端部を支軸４１で枢支されたフランジユニット４２がその後部下端に軸支された車輪５０を床面３に接して揺動自在に支持されており、同フランジユニット４２に左右方向に指向して長尺のストレートローラ４３が回動自在に軸支され、同フランジユニット４２に固定されたローラ駆動モータ４４の駆動軸に嵌着されたスプロケット４５と前記ストレートローラ４３の回転軸端部に嵌着されたスプロケット４６との間にチェーン４７が架渡され、ローラ駆動モータ４４の駆動でチェーン４７を介してストレートローラ４３が回転させられる。
【００１５】
このストレートローラ４３の背後に半円筒状のスクレーパ４８がその半円筒の中心軸をストレートローラ４３の回転軸と略同軸にして配置されフランジユニット４２に固定されている。
同スクレーパ４８の径はストレートローラ４３の径より所定長さ大きく、ストレートローラ４３の外周面とスクレーパ４８の内周面とは一定の間隔が維持され、その間隔はボール４の直径より若干小さい。
【００１６】
スクレーパ４８の下端縁は前記車輪５０の近傍にあって常に床面３と約５ｍｍ程度の間隔を保って前方に向いているので、砲撃遊戯車１が前方に走行することにより、床面３に存在し車体下方に入ってきたボール４を掬える状態にあり、かかるボール４をストレートローラ４３の回転でまず床面３との間で挟み次いでスクレーパ４８との間で転動させながら同スクレーパ４８に沿って円弧状に移動させて上方のシュート４９に搬送する。
【００１７】
シュート４９は若干前方に傾斜していてさらに前方のホールディングタンク３１にボール４は転がり入る。
このようにボール回集装置３０は、ストレートローラ４３の回転でボール４はスクレーパ４８に案内されて円弧軌跡を描いてホールディングタンク３１内に回集されるので、先行のボールに後続のボールが接触することがなく、よって両ボールが重なり合って搬送路を閉塞するようなトラブルはなく円滑にボールを回集することができる。
【００１８】
またストレートローラ４３およびスクレーパ４８は左右方向に長尺に配置されているので、長手方向に亘って複数のボール４を同時に回集することができ、ボールの回集効率に優れている。
なおボール回集装置３０は支軸４１を中心に揺動自在のフランジユニット４２に搭載されているので、床面３の多少の凹凸等や走行車輪１１，１２の摩擦によるレベル変動に柔軟に対処してトラブルを発生することはない。
【００１９】
次に回集されたボール４が蓄えられるホールディングタンク３１は、その底板５１が前方排出口へ向け下り勾配となっているとともに、その下のフレーム５２に対して左右に摺動自在に支持されており、かかる底板５１に送られて来たボール４は前方へ転がりながら移動し、前のボール４どうしの谷間に後続のボール４が入り千鳥状態で順次詰めていく。
底板５１の振動でホールディングタンク３１内には底板５１上にむらなく一層にボル４が蓄えられ、最大で１００個程度がストックされる。
【００２０】
さらにボール４の過剰供給があると、底板５１からその手前のシュート４９にまで溢れたボール４の最後列の両端のボール４がシュート４９の左右側方の開口５３から落下して車外に排出される。
ホールディングタンク３１の前方は仕切板６０の下端の若干左寄りにある開口が排出口となって開いており、同排出口から前方にはボールを左方のリフト入口まで一列に供給するよう左方へ下る自然な勾配をつけた排出シュート５９が設けられていて、ホールディングタンク３１内から排出されたボールはこの排出シュート５９に配列されることになる。
【００２１】
前記可動底板５１の前端右側には直動ユニット５４が設けられ、その左右に三角形状の突起５５が突設されていて、可動底板５１の最前列のボール４に微小な推力を与え底板５１の振動とともにボール４の停滞を防止して排出シュート５９に途絶えることなくボール４を排出することができるようにしている。
【００２２】
仕切板６０の前面にはボール搬送調整装置３２およびボールリフト装置３３が配設されており、図６ないし図８にその正面図と側面図を図示する。
仕切板６０の下端の前記排出シュート５９の上方所定位置に左右のプーリ６１とプーリ６２間に架渡された丸ベルト６３が設けられて排出シュート５９とともにボール搬送調整装置３２が構成され、左側（図６では右側）のプーリ６２には同軸同径のプーリ６４が一体に形成されて同プーリ６４の上方に配置されたプーリ６５との間にＶ型のリフトベルト６６が架渡され、同リフトベルト６６の左側に沿って所定間隔を存して垂直案内板６７が設けられてボールリフト装置３３が構成されている。
【００２３】
垂直案内板６７はその上下端部がそれぞれプーリ６５，６４に沿って円弧状に湾曲しており、下端の湾曲部は排出シュート５９と滑らかに連結している。
リフトベルト６６が架渡された上側のプーリ６５には同軸同径のプーリ６８が一体に形成され、駆動モータ６９の駆動軸に嵌着されたプーリ７０との間にＶベルト７１が架渡されている。
したがって駆動モータ６９の駆動によりＶベルト７１，プーリ６８，６５を介してリフトベルト６６を回動し、リフトベルト６６の回動はプーリ６４，６２を介して丸ベルト６３を回動する。
【００２４】
なおプーリ６２には中心から偏心した位置にクランクピン７５が前方に突設され、前記可動底板５１に設けられた直動ユニット５４から前方へ突設され仕切板６０の長孔７０ａを貫通した従動ピン７６と前記クランクピン７５とを連結ロッド７７が連結してクランク機構を構成しており、プーリ６２の回転が連結ロッド７７を介して従動ピン７６，直動ユニット５４とともに可動底板５１を左右に振動させることができる。
【００２５】
排出シュート５９の上方に配設された丸ベルト６３は左右のプーリ６１，６２に幾らか斜め掛けにされ、図８に示すように排出シュート５９の垂直壁５９ａに対して若干の傾きを有しており、丸ベルト６３の下側部分は垂直壁５９ａに沿って一列に配列されたボール４の頂点より垂直壁５９ａ寄りの側部に接触している。
【００２６】
したがって丸ベルト６３の回動により排出シュート５９に並んだボール４は回転中心軸を斜めに傾けた傾斜回転をしながら左方のリフト入口へ向かう。
ボール４の頂点にベルトが接して縦回転するのに比べ水平回転要素が加わり（リフト入口に近づくに従い水平回転要素は大きくなる）ボールの搬送速度は小さくなるとともに、水平回転要素により後続のボール４に相反する方向に回転力を与え、その際に発生するボールどうしの衝突がボールどうしの重なり合いを防止しボールの排出を円滑にするのに役立っており、構造面においても簡素化されてメンテナンスも容易である。
【００２７】
このようにしてリフト入口に送られてきたボール４はプーリ６２、６４の回転で垂直案内板６７の下端の円弧状湾曲部に沿って円弧軌跡を描いて上方に移動し、その際丸ベルト６３からリフトベルト６６に搬送源が変わり、リフトベルト６６はボール４の頂点に接して垂直案内板６７との間にボール４を挟んで転動させながら上方へ搬送する。
したがって比較的遅い搬送速度でリフト入口に送られてきたボール４は円弧状に移動されリフトベルト１６に乗り換えることで搬送速度を速くして上方へ搬送されることになるので、ボールどうしが幾らか間をおいて上昇されることになり、ボールどうしが接触して搬送路を閉塞するような不具合はなく円滑かつスピーディにボールが上方へ搬送される。
【００２８】
上昇したボール４はプーリ６５の右接線方向に向けて設けられたスクレーパー７２に排出され、同右下がりに傾斜したスクレーパー７２に案内されて縦整列シュート８１に落下される。
なお縦整列シュート８１の上流側のボール４が落下する部分よりさらに右側にはボール回送パイプ８０の受け口８０ａがあり、縦整列シュート８１にボールが溜まって上流側まで一杯になったときは、後から落下してくるボール４は縦整列シュート８１上のボール４を乗り越えてボール回送パイプ８０の受け口８０ａに入り、ボール回送パイプ８０は下方のホールディングタンク３１に連結されているので、該ボール回送パイプ８０の受け口８０ａに入ったボールは再びホールディングタンク３１に回送される。
【００２９】
縦整列シュート81はボール縦整列供給装置34の部材であり、前後方向に長尺のチャンネル状をなし、上流端は蝶番82により仕切板60の前面に支持され、上下に揺動自在の下流端は前方に向かいボール発射装置35に支持される（図１２参照）。
縦整列シュート81は１個のボール４が通れるだけの幅を有し、ボールを縦に整列させる。
【００３０】
縦整列シュート８１の途中で下流寄りに図９および図１０に示すようにボール供給規制手段が設けられており、縦整列シュート８１の側壁に設けられた軸受部８３に回転支軸８４が回転自在に支持され、同回転支軸８４の上端にストッパーレバー８５が縦整列シュート８１に略平行に固着されており、同ストッパーレバー８５は縦整列シュート８１の側壁より若干高い位置にあり、下流側端部８５ａが縦整列シュート８１側に直角に屈曲しストッパーレバー８５の回転支軸８４より上流側に延出した上流側端部８５ｂが縦整列シュート８１側に湾曲している。
【００３１】
したがってストッパーレバー８５の下流側端部８５ａが縦整列シュート８１の搬送路に突出しているときは上流側端部８５ｂは同搬送路より没しており、ストッパーレバー８５が回転支軸８４を中心に揺動し下流側端部８５ａが搬送路より没すると反対に上流側端部８５ｂは同搬送路に突出してボールの流れを調整することができる。
本実施例ではストッパーレバー８５の下流側端部８５ａにより縦整列シュート８１内に縦整列されたボール４が停止させられた状態からストッパーレバー８５が揺動すると最先端のボール４から続く２個のボール４までの３個のボール４がボール発射装置３５に供給されるが、後続の４個目からのボール４は突出した上流側端部８５ｂによって停止させられており、ストッパーレバー８５が揺動して元に戻れば３個分ボール４は下流側に流れ詰めることになる。
【００３２】
すなわち一時に３個のボール４に制限されて連続発射できるように調整されている。
ストッパーレバー８５の下流側端部８５ａは縦整列シュート８１の下流端に近くすなわちボール発射装置３５の近くにあってボール４を止めているので、ボール発射装置３５へのボール４の供給は速やかに行われるようになっている。
なおストッパーレバー８５を揺動させる回転支軸８４は軸受部８３より下方に突出しており、その下端部にレバー８６の基端が嵌着され同レバー８６の自由端はソレノイド８７の伸縮ロッド８７ａの先端と枢着されて、ソレノイド８７が伸縮ロッド８７ａを縮小するとスプリング８８に抗してストッパーレバー８５を揺動する。
【００３３】
次に縦整列シュート８１の下流側に位置するボール発射装置３５について図１１ないし図１３に基づいて説明する。
基台１０に左右一対の支柱９０，９０が立設され、その上端間に支軸９１，９１を介して揺動フレーム９２が揺動自在に架設されている。
揺動フレーム９２の上面には左右に一対の発射ローラ９３，９３が所定の間隔を存して配置されており、そのローラ軸９３ａ，９３ａが揺動フレーム９２に垂直に貫通し回転自在に支持され、各発射ローラ９３，９３の後方において該揺動フレーム９２に固定された駆動モータ９４，９４の駆動軸に嵌着されたプーリ９５，９５と前記ローラ軸９３ａ，９３ａの下端に嵌着されたプーリ９６，９６との間にそれぞれＶベルト９７，９７が架渡され（図３参照）、駆動モータ９４，９４の駆動で各々Ｖベルト９７，９７を介して発射ローラ９３，９３が互いに反対方向に高速で回転する。
なお発射ローラ９３，９３は回転エネルギーを常に維持するためフライホイール効果が発揮できるリングが埋設され、ボールの発射を確実にするため外周面にはシリコンゴムが周設されている。
【００３４】
この両発射ローラ９３，９３の間を幾らか前方に進んだ位置に単に円筒状の前記砲身２０が前方に向いて揺動フレーム９２に固定されている。
したがって前記縦整列シュート８１よりボール４が高速回転する発射ローラ９３，９３の間に供給されると両発射ローラ９３，９３はボール４を挟み込むとともに砲身２０内に弾き出し砲身２０の向いた方向にボール４を飛び出させることができる。
本実施例の場合適当なタイミングでボール４が供給される限り１秒間に５個のボール４を連続発射する能力を有し、適当な直進性と飛距離が確保されている。
【００３５】
なお発射ローラ９３，９３を搭載する揺動フレーム９２と上流端を蝶番３２で揺動自在に支持された縦整列シュート８１の下流端とは図１３に示すように縦整列シュート８１の下流側より下方へ突出した案内軸８９が揺動フレーム９２より後方へ延出した支え板９２ａの貫通孔９２ｂを貫通し案内軸８９の下端のフランジ８９ａによって抜けないように連結されている。
したがって揺動フレーム９２が揺動しても縦整列シュート８１の下流端は連結されていてボール４の供給する位置を常に定位置に維持することができる。
また砲身２０の傾斜角をある所定の角度に自然復帰させ、かつ重量バランスによる差異を是正するため揺動フレーム９２と基台１０との間にガスダンパー１０２  が介装されている。
【００３６】
図３に示すように揺動フレーム９２の後端縁中央に突設されたブラケット９８に前端を枢着されタイロッド９９が後方へ延びて前記仕切板６０を貫通して操縦室１４に突出しており、仕切板６０に操縦室１４に向け突設されたブラケット１００  にレバー１０１  が枢支され、同レバー１０１  の下端に前記タイロッド９９の後端が枢着され、かつレバー１０１  にはＬ字状に屈曲した前記砲身傾斜操作レバー２６の基端側が固着されて自由端側が上方に延びてその先端部をグリップ２６ａとしている。
【００３７】
したがって同砲身傾斜操作レバー２６を前後に揺動すると一体にレバー１０１  が揺動して、タイロッド９９を前後に移動し、このタイロッド９９の前後動はブラケット９８を介して揺動フレーム９２を揺動してボール発射装置３５全体とともに砲身２０の傾斜角を変更することができる。
なお砲身傾斜操作レバー２６の基端側の上下にはクッションゴム１０２  が介装されており、砲身傾斜操作レバー２６の前後操作に適度な抵抗を感じさせるようにしている。
【００３８】
該砲身傾斜操作レバー２６のグリップ２６ａの上端には、前記ボール発射ボタン２７が設けられており、同ボール発射ボタン２７を押すと前記ソレノイド８７が駆動して縦整列シュート８１でボール４の供給を停止していたストッパーレバー８５を揺動してボール４をボール発射装置３５の高速で回転する発射ローラ９３，９３の間に供給してボール４を飛び出させる。
【００３９】
したがって砲撃遊戯車１に搭乗したプレイヤーはハンドル２５を操作して砲撃遊戯車１を操縦するとともに片手で砲身傾斜操作レバー２６のグリップ２６ａを握り前後操作で敵の砲撃遊戯車１を狙って砲身２０の角度を調整し、適当なタイミングでボール発射ボタン２７を押してボール４を発射して攻撃する。
ボール発射ボタン２７を一度押すと３個のボール４が連続発射され、それ以上は発射されず、ボール発射ボタン２７を復帰して再度押すことにより次のボール発射がなされるようになっている。
【００４０】
本実施例のボール発射装置３５は１秒間に５個の連射の能力を有するので、上記の如く発射規制をしないで、際限なく連続発射させると約２０秒程でホールディングタンク３１にストックできる１００個のボール４を消費してしまいボールの供給が追いつかずすぐに弾切れとなるため上記の如くボールの供給を規制してボールの需要と供給のバランスを適度に保ちプレイ中は常にボールが発射できる状態にしている。
なおストッパーレバー８５の上流側端部８５ｂを曲げずにストレートにし連続発射できるボール４を制限しないことも当然考えられ、ボールの需給のバランスを考慮しないでボール４の供給が続く限り連続発射を可能としたゲームの仕方もある。
【００４１】
このようにボール４は高速で連続発射されるので、ボールの供給は常に円滑かつスピーディに行われなければならないが、本実施例では前記したようにボール回集装置３０，ホールディングタンク３１，ボール搬送調整装置３２，ボールリフト装置３３，ボール縦整列供給装置３４の各段階でボール４が円滑に供給される工夫がなされているので、このボールの高速連射に応えることができるようになっている。
【００４２】
本実施例の砲撃遊戯車１は、安全性を考慮して前記防護ネット１７，１９を有しているほか、シート２４に着座センサ，スライドドア１８の閉じ確認センサ，シートベルト２８に装着センサが設けられており、プレイヤーが砲撃遊戯車１に搭乗しシート２４に着座すると着座センサが検知して搭乗者にゲームに対する事前準備等のインフォメーションを通報し、その際スライドドア１８を確実に閉めることとシートベルト２８を装着することが注意事項として放送される。
搭乗者がスライドドア１８を確実に閉め、シートベルト２８を確実に装着したことを各センサからの信号で確認した後でないと、ゲームはスタートしないようになっている。
【００４３】
なおゲーム途中でもスライドドア１８が開くようなことがあると、ゲームは中断する。
本砲撃遊戯車１は助手席にもう一人乗ることができるので、二人が乗る場合は当然各搭乗者ともシートベルト２８を装着しなければゲームはスタートしないようになっている。
【００４４】
また本実施例では集電装置２１のコイルバネ等により付勢されて上方の集電ネット２に先端を接触させて電力の供給を受ける接触ワイヤー２２を２本有しており、消費電流キャパシティの増大による分流受電の方法を採用しており、接触ワイヤー１本当たりの電流を軽減している。
また後部の左右一対の車輪１２間中央の若干後方に図３に示すようにベアリングを内蔵した円筒形集電ブラシ１１０  がスイングアーム１１１  の自由端に軸支され、圧縮コイルバネ１１２  により床面３に圧接され電流を床面３に流している。
【００４５】
【発明の効果】
本発明は、ボール回集装置において回転するストレートローラに捕らえられたボールは半円筒形状のスクレーパに案内されて円弧状に移動し搬送されるので、先行のボールと後続のボールとが接近しても接触することはなく円滑にボールの回集ができる。
またストレートローラの長手方向に亘って複数のボールを同時に回集することが可能で回集効率がよい。
【００４６】
またホールディングタンクの底板を傾斜させかつ振動させることで、ホールディングタンク内で回集されたボールをその自転によりボールどうし互いの移動を妨げることなく、また重なり合うことなく一層でむらのない状態に蓄えることができ、こうして底板下流側に至ったボールを斜め掛けの水平方向に指向した水平回動ベルトにより詰まりを生じることなくリフト入口方向へ移動させることができ、  リフト入口で垂直回動ベルトによりボールの移動方向を上方に変更されることでボールを一個ずつ間欠的に上昇され、円滑にボールをリフトすることができる。
【００４７】
さらに前記ボールリフト装置により上方へ搬送されたボールを縦整列させてボール発射装置に案内するボール案内手段の途中にストッパーを出没させるボール供給規制手段を備えることで、ボール発射装置へのボールの供給を簡単に制御できるとともに安定したボール発射を可能とし、また必要以上の連続発射を回避させボールの需給を調整することも可能である。
【図面の簡単な説明】
【図１】本発明に係る一実施例の砲撃遊戯車の側面図である。
【図２】同正面図である。
【図３】同砲撃遊戯車の内部構造の概略を示す透視側面図である。
【図４】ボール回集装置およびホールディングタンクの一部平面図である。
【図５】同概略側面図である。
【図６】ボール搬送調整装置およびボールリフト装置の正面図である。
【図７】同側面図である。
【図８】ボール搬送調整装置の要部上面図である。
【図９】ボール縦整列供給装置の側面図である。
【図１０】同平面図である。
【図１１】ボール発射装置の正面図である。
【図１２】ボール発射装置およびボール縦整列供給装置の平面図である。
【図１３】ボール発射装置の揺動フレームとボール縦整列供給装置の縦整列シュートとの連結部分を示す断面図である。
【符号の説明】
１…砲撃遊戯車、２…集電ネット、３…床面、４…ボール、  １０…基台、１１，１２…車輪、１３…前部ボディカバー、１４…操縦室、１５…ルーフ、１６…ピラー、１７…防護ネット、１８…スライドドア、１９…防護ネット、２０…砲身、２１…集電装置、２２…接触ワイヤ、２３…クッションゴム、２４…シート、２５…ハンドル、２６…砲身傾斜操作レバー、２７…ボール発射ボタン、２８…シートベルト、  ３０…ボール回集装置、３１…ホールディングタンク、３２…ボール搬送調整装置、３３…ボールリフト装置、３４…ボール縦整列供給装置、３５…ボール発射装置、  ４１…支軸、４２…フランジユニット、４３…ストレートローラ、４４…ローラ駆動モータ、４５，４６…スプロケット、４７…チェーン、４８…スクレーパ、４９…シュート、５０…車輪、５１…底板、５２…フレーム、５３…開口、５４…直動ユニット、５５…突起、５９…排出シュート、  ６０…仕切板、６１，６２…プーリ、６３…丸ベルト、６４，６５…プーリ、６６…リフトベルト、６７…垂直案内板、６８…プーリ、６９…駆動モータ、７０…プーリ、７１…Ｖベルト、７２…スクレーパ、７５…クランクピン、７６…従動ピン、７７…連結ロッド、８０…ボール回送パイプ、  ８１…縦整列シュート、８２…蝶番、８３…軸受部、８４…回転支軸、８５…ストッパーレバー、８６…レバー、８７…ソレノイド、８８…スプリング、８９…案内軸、  ９０…支柱、９１…支軸、９２…揺動フレーム、９３…発射ローラ、９４…駆動モータ、９５，９６…プーリ、９７…Ｖベルト、９８…ブラケット、９９…タイロッド、１００  …ブラケット、１０１  …レバー、１０２  …ガスダンパー、  １１０  …円筒形集電ブラシ、１１１  …スイングアーム、１１２  …圧縮コイルバネ。
【図１】
0003625076.tif 000002
【図２】
0003625076.tif 000003
【図３】
0003625076.tif 000004
【図４】
0003625076.tif 000005
【図５】
0003625076.tif 000006
【図６】
0003625076.tif 000007
【図７】
0003625076.tif 000008
【図８】
0003625076.tif 000009
【図９】
0003625076.tif 000010
【図１０】
0003625076.tif 000011
【図１１】
0003625076.tif 000012
【図１２】
0003625076.tif 000013
【図１３】
0003625076.tif 000014